(57)【要約】　　　（修正有）【課題】引っ張り強度及びせん断強度を強化した、結束用バンドを提供する。【解決手段】　結束用バンドは、少なくとも１本の金属強化線が樹脂成形バンド内に一体成形されてなる。この構造中には強度が優れ且つ柔軟な金属線材が含まれて樹脂成形バンドに対して高度の補強を行なうため、強大な引っ張り力或いはせん断力に対しても破裂切断されにくく、このためこれら結束用バンドの耐負荷強度を高めることができる。【選択図】　　　　図１
0003099541.tif 000002
【実用新案登録請求の範囲】
【請求項１】
　結束用バンドにおいて、少なくとも１本の金属強化線が樹脂成形バンド内に一体成形されてなり、該樹脂成形バンドの外表面に連続する係止歯が設けられたことを特徴とする、結束用バンド。
【請求項２】
　請求項１記載の結束用バンドにおいて、樹脂成形バンドの断面が扁平とされたことを特徴とする、結束用バンド。
【請求項３】
　請求項１記載の結束用バンドにおいて、樹脂成形バンドの断面が円形とされたことを特徴とする、結束用バンド。
【請求項４】
　請求項３記載の結束用バンドにおいて、樹脂成形バンドの外周に環状歯が設けられたことを特徴とする、結束用バンド。
【請求項５】
　請求項３記載の結束用バンドにおいて、樹脂成形バンドの外周の螺旋歯が設けられたことを特徴とする、結束用バンド。
【請求項６】
　請求項１記載の結束用バンドにおいて、樹脂成形バンドの断面が方形とされたことを特徴とする、結束用バンド。
【請求項７】
　請求項１記載の結束用バンドにおいて、樹脂成形バンドの断面が扁平円形とされたことを特徴とする、結束用バンド。
【請求項８】
　請求項１から請求項７のいずれかに記載の結束用バンドにおいて、金属強化線がケーブルとされたことを特徴とする、結束用バンド。
【請求項９】
　請求項１から請求項７のいずれかに記載の結束用バンドにおいて、係止歯が樹脂成形バンドの少なくとも一つの側面に横向きに形成されたことを特徴とする、結束用バンド。
【請求項１０】
　請求項８記載の結束用バンドにおいて、係止歯が樹脂成形バンドの少なくとも一つの側面に横向きに形成されたことを特徴とする、結束用バンド。
【請求項１１】
　請求項１から請求項７のいずれかに記載の結束用バンドにおいて、係止歯が樹脂成形バンドの少なくとも一つの側面に縦向きに形成されたことを特徴とする、結束用バンド。
【考案の詳細な説明】
【技術分野】
【０００１】
　本考案は一種の結束用バンドに係り、特に、樹脂を成形してなるバンドに、長さ方向に沿って細く軟らかい金属強化線を埋め込み、これにより全体の引張り強さ或いはせん断強さを増し、結束用バンドを日常生活或いは各種産業において広く応用できるようにし、有効に結束或いは引っ張り力を高め、使用の安全性を高め、大型或いは比較的重い物品の梱包及び引っ張り能力不足の欠点を解決する、結束用バンドに関する。
【背景技術】
【０００２】
　科学技術の進歩と工商業の繁栄の結果、交通運輸が急速に発展し、特に貨物の流通上、未だ無い迅速さと敏捷さが提供されるようになった。貨物の梱包運輸に便利であるよう、梱包或いは結束用バンド業も勃興発展し、現在自動或いは半自動の梱包器により実施され、このような梱包或いは結束用バンドは使用に便利で作業が快速に行なえるため、既に広く採用されている。しかし、結束用バンドの各種産業における利用の状況には違いがある。例えば、日常生活中で応用される結束用バンドは小物品の梱包に応用されるだけで、梱包荷重があまり大きくなく、安全性に対する要求もあまり高くないが、大型物品の運搬時の梱包は荷重が極めて大きいため、現在、家庭で使用されている結束用バンドでは耐えられず、繊維ロープによる梱包に頼らざるを得ないが、作業上、簡単なハンディータイプの器具で梱包作業ができないため、使用上、不便である。このため、既存の結束用バンドの構造を改良し、結束用バンドの引っ張り強さ及びせん断強さを増強し、その安全性を高めることが、解決を待たれる重要な課題である。
【０００３】
　このため、すでに、多種類の結束用バンドが研究開発されており、例えば結束用バンド中に各種の繊維を加えてその結束用バンドの強靱性を高めたものがある。このような構造により、それ以前の結束用バンドの引っ張り強さ及びせん断強さを改善することができる。
【０００４】
　しかし、上述の結束用バンドは、構造強度が尚も不足し、高荷重の梱包作業を達成できない。なぜなら上述の樹脂製の結束用バンド中に、繊維を加えると、ある程度強度を増加させることができるが、引っ張り強さ及びせん断強さの増強は尚も有限であり、要求に符合しないためである。
【考案の開示】
【考案が解決しようとする課題】
【０００５】
　本考案の主要な目的は、一種の結束用バンドを提供することにあり、それは、少なくとも１本の金属強化線が樹脂成形バンド内に一体成形されてなる。この構造中には強度が優れ且つ柔軟な金属線材が含まれて樹脂成形バンドに対して高度の補強を行なうため、強大な引っ張り力或いはせん断力に対しても破裂切断されにくく、このためこれら結束用バンドの耐負荷強度を高めることができる。
【課題を解決するための手段】
【０００６】
　請求項１の考案は、結束用バンドにおいて、少なくとも１本の金属強化線が樹脂成形バンド内に一体成形されてなり、該樹脂成形バンドの外表面に連続する係止歯が設けられたことを特徴とする、結束用バンドとしている。
　請求項２の考案は、請求項１記載の結束用バンドにおいて、樹脂成形バンドの断面が扁平とされたことを特徴とする、結束用バンドとしている。
　請求項３の考案は、請求項１記載の結束用バンドにおいて、樹脂成形バンドの断面が円形とされたことを特徴とする、結束用バンドとしている。
　請求項４の考案は、請求項３記載の結束用バンドにおいて、樹脂成形バンドの外周に環状歯が設けられたことを特徴とする、結束用バンドとしている。
　請求項５の考案は、請求項３記載の結束用バンドにおいて、樹脂成形バンドの外周の螺旋歯が設けられたことを特徴とする、結束用バンドとしている。
　請求項６の考案は、請求項１記載の結束用バンドにおいて、樹脂成形バンドの断面が方形とされたことを特徴とする、結束用バンドとしている。
　請求項７の考案は、請求項１記載の結束用バンドにおいて、樹脂成形バンドの断面が扁平円形とされたことを特徴とする、結束用バンドとしている。
　請求項８の考案は、請求項１から請求項７のいずれかに記載の結束用バンドにおいて、金属強化線がケーブルとされたことを特徴とする、結束用バンドとしている。
　請求項９の考案は、請求項１から請求項７のいずれかに記載の結束用バンドにおいて、係止歯が樹脂成形バンドの少なくとも一つの側面に横向きに形成されたことを特徴とする、結束用バンドとしている。
　請求項１０の考案は、請求項８記載の結束用バンドにおいて、係止歯が樹脂成形バンドの少なくとも一つの側面に横向きに形成されたことを特徴とする、結束用バンドとしている。
　請求項１１の考案は、請求項１から請求項７のいずれかに記載の結束用バンドにおいて、係止歯が樹脂成形バンドの少なくとも一つの側面に縦向きに形成されたことを特徴とする、結束用バンドとしている。
【考案の効果】
【０００７】
　本考案の結束用バンドは、少なくとも１本の金属強化線が樹脂成形バンド内に一体成形されてなる。この構造中には強度が優れ且つ柔軟な金属線材が含まれて樹脂成形バンドに対して高度の補強を行なうため、強大な引っ張り力或いはせん断力に対しても破裂切断されにくく、このためこれら結束用バンドの耐負荷強度を高めることができる。
【考案を実施するための最良の形態】
【０００８】
　添付の各図に示されるように、本考案は、少なくとも１本の金属強化線１０が樹脂成形バンド２０と同じ生成方向に一体成形されてなる。そのうち樹脂成形バンド２０の少なくとも一側の表面には連続する係止歯２１が設けられ、該係止歯２１は台形歯、Ｖ形歯、斜形歯、長方形歯、或いはその他の異なる形式の歯とされ、且つこれら樹脂成形バンド２０の断面は扁平歯型（図１、３）、扁平円形（図７、８）、円形（図５、６）及び方形（図４）、或いはその他の多角形（図９）とされうる。金属強化線１０は樹脂成形バンド２０内に埋め込まれ、これにより全体の結束用バンドの強度が大幅に増加されている。
【０００９】
　上述の金属強化線１０がケーブルとされると、従来の周知の繊維線材に較べ、柔軟度に遜色がなく、且つその引っ張り強さ及びせん断強さは大幅に向上され、明らかに結束用バンドの強度と安全性が高められ、大型の重い物品の運搬梱包時に、これまでに無い安全性を提供することができる。このほか、上述の各樹脂成形バンド２０の外表面の連続する係止歯２１により、結束用バンド自動梱包工具の運用が行なえ、便利性も高められる。
【００１０】
　総合すると、本考案は一種の結束用バンドを提供し、それは確実に従来の結束用バンドの機械特性不足の欠点を改善する。且つ本考案は未公開であり、実用新案登録の要件に符合する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１１】
【図１】本考案の扁平斜め歯型の結束用バンドの斜視図である。
【図２】図１の実施例の結束用バンドの局部拡大図である。
【図３】本考案の扁平正歯型の結束用バンドの斜視図である。
【図４】本考案の方形結束用バンドの斜視図である。
【図５】本考案の円形結束用バンドの斜視図である（外周に環状歯がある）。
【図６】本考案のもう一つの円形結束用バンドの斜視図である（外周に螺旋歯がある）。
【図７】図５及び図６の断面図である。
【図８】本考案の扁平円形断面の結束用バンドの斜視図である。
【図９】本考案の扁平円形断面に横向き台形歯を組み合わせた結束用バンドの斜視図である。
【図１０】本考案の扁平断面に縦向き台形歯を組み合わせた結束用バンドの斜視図である。
【符号の説明】
【００１２】
１０　金属強化線
２０　樹脂成形バンド
２１　係止歯
【図１】
0003099541.tif 000003
【図２】
0003099541.tif 000004
【図３】
0003099541.tif 000005
【図４】
0003099541.tif 000006
【図５】
0003099541.tif 000007
【図６】
0003099541.tif 000008
【図７】
0003099541.tif 000009
【図８】
0003099541.tif 000010
【図９】
0003099541.tif 000011
【図１０】
0003099541.tif 000012